(57)【要約】  本発明は、セル再選択方法及び装置、コンピュータ記憶媒体を開示し、前記方法は、端末がセル再選択ルールを取得することと、前記端末が前記セル再選択ルール及び隣接セルのサポートするネットワーク機能に基づいてターゲットセルを選択し、前記ターゲットセルに基づいてセル再選択プロセスを実行することとを含む。
2021516880.tif 000002
【特許請求の範囲】
【請求項１】
セル再選択方法であって、
端末がセル再選択ルールを取得することと、
前記端末が前記セル再選択ルール及び隣接セルのサポートするネットワーク機能に基づいてターゲットセルを選択し、前記ターゲットセルに基づいてセル再選択プロセスを実行することとを含む、前記セル再選択方法。
【請求項２】
前記端末がセル再選択ルールを取得することは、
前記端末がプロトコルの構成により前記セル再選択ルールを取得することを含むことを特徴とする
請求項１に記載の方法。
【請求項３】
前記端末が前記セル再選択ルール及び隣接セルのサポートするネットワーク機能に基づいてターゲットセルを選択することは、
前記端末が第１セルにおいて隣接セル測定を実行することと、
ターゲットネットワーク機能をサポートする第２セルが検出され、且つ前記第２セルの信号品質が第１閾値より高いと、前記第２セルが前記ターゲットセルであると決定することとを含み、
前記第２セルは、前記第１セルに対して同周波数隣接セルであることを特徴とする
請求項２に記載の方法。
【請求項４】
前記方法は、
前記端末が、隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定することを更に含むことを特徴とする
請求項３に記載の方法。
【請求項５】
前記方法は、
前記端末が、前記第１セルによりブロードキャストされたシステムメッセージを取得し、前記第１セルによりブロードキャストされたシステムメッセージに基づいて、前記第２セルが前記ターゲットネットワーク機能をサポートしているかどうかを決定することを更に含むことを特徴とする
請求項３に記載の方法。
【請求項６】
前記端末が前記セル再選択ルール及び隣接セルのサポートするネットワーク機能に基づいてターゲットセルを選択することは、
前記端末が第１セルにおいて隣接セル測定を実行することと、
周波数優先度の高い第３セルの信号品質が第１閾値より高いことが検出された場合、前記第３セルが前記ターゲットセルであると決定することとを含み、
前記第３セルは、前記第１セルに対して異周波数隣接セルであることを特徴とする
請求項２に記載の方法。
【請求項７】
前記方法は、
前記端末が、前記第１セルによりブロードキャストされたシステムメッセージを取得し、前記第１セルによりブロードキャストされたシステムメッセージに基づいて、前記第１セルが前記ターゲットネットワーク機能をサポートしないセルであると決定することを更に含むことを特徴とする
請求項３ないし６のいずれか一項に記載の方法。
【請求項８】
前記ターゲットネットワーク機能は、
５Ｇ指示情報の機能、基地局に接続されるコアネットワークのタイプ情報の機能のうちの少なくとも１つを含むことを特徴とする
請求項３ないし７のいずれか一項に記載の方法。
【請求項９】
前記端末がセル再選択ルールを取得することは、
前記端末がシステムメッセージ、又はローカルに予め記憶された情報、又は無線リソース制御（ＲＲＣ）シグナリング、又は非アクセス層（ＮＡＳ）シグナリングにより、前記セル再選択ルールを取得することを含むことを特徴とする
請求項１に記載の方法。
【請求項１０】
前記セル再選択ルールは、複数の再選択サブルールを含み、各再選択サブルールは、１つの優先度に対応し、
前記端末は、優先度の降順に応じて、前記ターゲットセルの選択のための前記再選択サブルールを選択することを特徴とする
請求項９に記載の方法。
【請求項１１】
前記複数の再選択サブルールは、第１再選択サブルールと、第２再選択サブルールとを含み、前記第１再選択サブルールが、ネットワーク機能に基づく再選択サブルールであり、前記第２再選択サブルールが、周波数優先度に基づく再選択サブルールである場合、前記端末が前記セル再選択ルール及び隣接セルのサポートするネットワーク機能に基づいてターゲットセルを選択することは、
前記端末が、ターゲットネットワーク機能をサポートしない第１セルにおいて隣接セル測定を実行することと、
ターゲットネットワーク機能をサポートする第２セルが検出され、且つ前記第２セルの信号品質が第１閾値より高いと、前記第２セルが前記ターゲットセルであると決定することとを含み、
前記第２セルは、前記第１セルに対して同周波数隣接セル又は異周波数隣接セルであることを特徴とする
請求項１０に記載の方法。
【請求項１２】
前記方法は、
前記端末が、隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定することを更に含むことを特徴とする
請求項１１に記載の方法。
【請求項１３】
前記方法は、
前記端末が、第１セルによりブロードキャストされたシステムメッセージを取得し、前記第１セルによりブロードキャストされたシステムメッセージに基づいて、前記第２セルが前記ターゲットネットワーク機能をサポートしているかどうかを決定することを更に含むことを特徴とする
請求項１１に記載の方法。
【請求項１４】
前記複数の再選択サブルールは、第１再選択サブルールと、第２再選択サブルールとを含み、前記第１再選択サブルールが、周波数優先度に基づく再選択サブルールであり、前記第２再選択サブルールが、ネットワーク機能に基づく再選択サブルールである場合、前記端末が前記セル再選択ルール及び隣接セルのサポートするネットワーク機能に基づいてターゲットセルを選択することは、
前記端末が第１セルにおいて隣接セル測定を実行することと、
周波数優先度の高い第３セルの信号品質が第１閾値より高いことが検出された場合、前記第３セルが前記ターゲットセルであると決定することとを含み、
前記第３セルは、前記第１セルに対して異周波数隣接セルであることを特徴とする
請求項１０に記載の方法。
【請求項１５】
前記ターゲットネットワーク機能は、
５Ｇ指示情報の機能、基地局に接続されるコアネットワークのタイプ情報の機能のうちの少なくとも１つを含むことを特徴とする
請求項１０ないし１４のいずれか一項に記載の方法。
【請求項１６】
セル再選択装置であって、
セル再選択ルールを取得するように構成される第１取得ユニットと、
前記セル再選択ルール及び隣接セルのサポートするネットワーク機能に基づいてターゲットセルを選択するように構成される選択ユニットと、
前記ターゲットセルに基づいてセル再選択プロセスを実行するように構成される実行ユニットと、を備える、前記装置。
【請求項１７】
前記第１取得ユニットは、プロトコルの構成により前記セル再選択ルールを取得するように構成されることを特徴とする
請求項１６に記載の装置。
【請求項１８】
前記装置は、
第１セルにおいて隣接セル測定を実行するように構成される測定ユニットを更に備え、、
前記選択ユニットは、ターゲットネットワーク機能をサポートする第２セルが検出され、且つ前記第２セルの信号品質が第１閾値より高いと、前記第２セルが前記ターゲットセルであると決定するように構成され、前記第２セルは、前記第１セルに対して同周波数隣接セルであることを特徴とする
請求項１７に記載の装置。
【請求項１９】
前記装置は、
隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定するように構成される第２取得ユニットを更に備えることを特徴とする
請求項１８に記載の装置。
【請求項２０】
前記装置は、
前記第１セルによりブロードキャストされたシステムメッセージを取得し、前記第１セルによりブロードキャストされたシステムメッセージに基づいて、前記第２セルが前記ターゲットネットワーク機能をサポートしているかどうかを決定するように構成される第３取得ユニットを更に備えることを特徴とする
請求項１８に記載の装置。
【請求項２１】
前記装置は、
第１セルにおいて隣接セル測定を実行するように構成される測定ユニットとを更に備え、
前記選択ユニットは、周波数優先度の高い第３セルの信号品質が第１閾値より高いことが検出された場合、前記第３セルが前記ターゲットセルであると決定するように構成され、
前記第３セルは、前記第１セルに対して異周波数隣接セルであることを特徴とする
請求項１７に記載の装置。
【請求項２２】
前記装置は、
前記第１セルによりブロードキャストされたシステムメッセージを取得し、前記第１セルによりブロードキャストされたシステムメッセージに基づいて、前記第１セルが前記ターゲットネットワーク機能をサポートしないセルであると決定するように構成される第４取得ユニットを更に備えることを特徴とする
請求項１８ないし２１のいずれか一項に記載の装置。
【請求項２３】
前記ターゲットネットワーク機能は、
５Ｇ指示情報の機能、基地局に接続されるコアネットワークのタイプ情報の機能のうちの少なくとも１つを含むことを特徴とする
請求項１８ないし２２のいずれか一項に記載の装置。
【請求項２４】
前記第１取得ユニットは、システムメッセージ、又はローカルに予め記憶された情報、又はＲＲＣシグナリング、又はＮＡＳシグナリングにより、前記セル再選択ルールを取得するように構成されることを特徴とする
請求項１６に記載の装置。
【請求項２５】
前記セル再選択ルールは、複数の再選択サブルールを含み、各再選択サブルールは、１つの優先度に対応し、
前記選択ユニットは、優先度の降順に応じて、前記ターゲットセルの選択のための前記再選択サブルールを選択することを特徴とする
請求項２４に記載の装置。
【請求項２６】
前記複数の再選択サブルールは、第１再選択サブルールと、第２再選択サブルールとを含み、前記第１再選択サブルールが、ネットワーク機能に基づく再選択サブルールであり、前記第２再選択サブルールが、周波数優先度に基づく再選択サブルールである場合、前記装置は、
ターゲットネットワーク機能をサポートしない第１セルにおいて隣接セル測定を実行するように構成される測定ユニットを備え、
前記選択ユニットは、ターゲットネットワーク機能をサポートする第２セルが検出され、且つ前記第２セルの信号品質が第１閾値より高いと、前記第２セルが前記ターゲットセルであると決定するように構成され、前記第２セルは、前記第１セルに対して同周波数隣接セル又は異周波数隣接セルであることを特徴とする
請求項２５に記載の装置。
【請求項２７】
前記装置は、
隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定するように構成される第２取得ユニットを更に備えることを特徴とする
請求項２６に記載の装置。
【請求項２８】
前記装置は、
前記第１セルによりブロードキャストされたシステムメッセージを取得し、前記第１セルによりブロードキャストされたシステムメッセージに基づいて、前記第２セルが前記ターゲットネットワーク機能をサポートしているかどうかを決定するように構成される第３取得ユニットを更に備えることを特徴とする
請求項２６に記載の装置。
【請求項２９】
前記複数の再選択サブルールは、第１再選択サブルールと、第２再選択サブルールとを含み、前記第１再選択サブルールが、周波数優先度に基づく再選択サブルールであり、前記第２再選択サブルールが、ネットワーク機能に基づく再選択サブルールである場合、前記装置は、
第１セルにおいて隣接セル測定を実行するように構成される測定ユニットを備え、
前記選択ユニットは、周波数優先度の高い第３セルの信号品質が第１閾値より高いことが検出された場合、前記第３セルが前記ターゲットセルであると決定するように構成され、前記第３セルは、前記第１セルに対して異周波数隣接セルであることを特徴とする
請求項２５に記載の装置。
【請求項３０】
前記ターゲットネットワーク機能は、
５Ｇ指示情報の機能、基地局に接続されるコアネットワークのタイプ情報の機能のうちの少なくとも１つを含むことを特徴とする
請求項２５ないし２９のいずれか一項に記載の装置。
【請求項３１】
コンピュータ記憶媒体であって、
コンピュータ実行可能命令が記憶され、前記コンピュータ実行可能命令がプロセッサにより実行される時、請求項１ないし１５のいずれか一項に記載の方法のステップを実現する、前記コンピュータ記憶媒体。
【発明の詳細な説明】
【技術分野】
【０００１】
本発明は無線通信技術分野に関し、特にセル再選択方法及び装置、コンピュータ記憶媒体に関する。
【背景技術】
【０００２】
サービスのレート、遅延、高速移動性、エネルギー効率に対する要望、及び将来の生活中のサービスの多様性、複雑性を満たすために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）国際標準化機構は、第５世代（５Ｇ：５ｔｈ  Ｇｅｎｅｒａｔｉｏｎ）移動通信技術の開発を進めている。
【０００３】
５Ｇ移動通信技術の主な適用シナリオは、拡張型モバイルブロードバンド（ｅＭＢＢ：Ｅｎｈａｎｃｅ  Ｍｏｂｉｌｅ  Ｂｒｏａｄｂａｎｄ）、高信頼・低遅延な通信（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）である。
【０００４】
５Ｇ移動通信技術は、新しい無線通信技術（ＮＲ：Ｎｅｗ  Ｒａｄｉｏ）とも称される。ＮＲの初期的な展開において、完全なＮＲカバレッジの達成が困難であるため、典型的なネットワークカバレッジは、長期的進化（ＬＴＥ：Ｌｏｎｇ  Ｔｅｒｍ  Ｅｖｏｌｕｔｉｏｎ）とＮＲカバレッジの組み合わせである。なお、移動通信事業者のＬＴＥへの初期的な投資を保護するために、ＬＴＥとＮＲとの密な連携（ｔｉｇｈｔ  ｉｎｔｅｒｗｏｒｋｉｎｇ）作動モードが提出された。勿論、ＮＲセルは、独立して配置されてもよい。
【０００５】
ＮＲに関する検討において、各ＮＲキャリアの最大チャネル帯域幅は、低周波について、１００ＭＨｚであり、高周波について、４００ＭＨｚであり、且つ１００ＭＨｚ／４００ＭＨｚのチャネル帯域幅は、連続的なものである。端末装置（ＵＥ：Ｕｓｅｒ  Ｅｑｕｉｐｍｅｎｔ）が広帯域キャリアで作動し続けると、ＵＥによる電力消費が極めて大きくなるため、ＵＥの無線周波数（ＲＦ：Ｒａｄｉｏ  Ｆｒｅｑｕｅｎｃｙ）帯域幅をＵＥの実際のスループットに基づいて調整することが推奨されている。
【０００６】
ＵＥは、アイドル（ｉｄｌｅ）状態でセル選択及びセル再選択を実行する過程において、ｉｄｌｅ状態で負荷バランシングを満たすために、周波数優先度に基づくセル再選択ポリシーが定義された。同周波数セル又は同一優先度の異周波数セルにおいて、Ｒルールによりセル再選択を行う。つまり、セルの信号品質に応じて順序付け、信号品質の最も高いセルを候補となる再選択対象セルとして選択する。周波数優先度の高いセルについて、該セルの信号品質が所定の閾値を満たせば、周波数優先度の高いセルを再選択し、周波数優先度の低いセルについて、サービングセルの信号品質が所定の閾値より低い場合にのみ周波数優先度の低いセルを選択する。ＮＲセルにおいて、周波数優先度に基づくセル再選択は、同様に適用可能である。
【０００７】
ＬＴＥセルにおいて、現在のＬＴＥセルがＬＴＥとＮＲとのＬＴＥ−ＮＲ二重接続（ＬＴＥ−ＮＲ  ＤＣ：ＬＴＥ−ＮＲ  Ｄｕａｌ  Ｃｏｎｎｅｃｔｉｏｎ）をサポートすると、この場合、ＬＴＥセルは、そのシステムメッセージ（例えばＳＩＢ２）により５Ｇ指示情報をブロードキャストする。ＵＥは、該５Ｇ指示情報を読み取ると、５Ｇ信号をスクリーンに表示する。
【０００８】
ｅＬＴＥセルにおいて、進化型ノードＢ（ｅＮＢ：ｅｖｏｌｖｅｄ  Ｎｏｄｅ  Ｂ）は、４Ｇコアネットワーク（例えば、進化型パケットコアネットワーク（ＥＰＣ：Ｅｖｏｌｖｅｄ  Ｐａｃｋｅｔ  Ｃｏｒｅ））及び５Ｇコアネットワーク（５Ｇ  ＣＮ：５Ｇ  Ｃｏｒｅ  Ｎｅｔｗｏｒｋ）に接続可能である。この場合、システムメッセージは、ｅＮＢに接続されるコアネットワークがＥＰＣ、５Ｇ  ＣＮ、又はＥＰＣ及び５Ｇ  ＣＮであることをブロードキャストする。
【０００９】
これに基づいて、ＵＥがＬＴＥセル（同周波数配置を例とする）にキャンプオン（Ｃａｍｐ−ｏｎ）していると、全てのＬＴＥセルは、同一の周波数優先度を持ち、Ｒルールに応じてセル再選択を行う過程は、以下のとおりである。５Ｇ指示情報をブロードキャストするＬＴＥセル（以下、５Ｇ指示情報をサポートするＬＴＥセルと称する）の再選択優先度がｅＬＴＥセルと同じであり、信号品質に応じてセル選択を行う。しかしながら、５Ｇ指示情報をサポートするＬＴＥセル及びｅＬＴＥセルについて、通信事業者は、ＵＥが特定の機能を持つセルに優先的にキャンプオンすることを更に望むことがある。通信事業者を満たすために、セル再選択を如何に行うかは、解決しようとする課題である。
【発明の概要】
【発明が解決しようとする課題】
【００１０】
上記技術的課題を解決するために、本発明の実施例は、セル再選択方法及び装置、コンピュータ記憶媒体を提供する。
【課題を解決するための手段】
【００１１】
本発明の実施例が提供するセル再選択方法は、
端末がセル再選択ルールを取得することと、
前記端末が前記セル再選択ルール及び隣接セルのサポートするネットワーク機能に基づいてターゲットセルを選択し、前記ターゲットセルに基づいてセル再選択プロセスを実行することとを含む。
【００１２】
本発明の実施例において、前記端末がセル再選択ルールを取得することは、
前記端末がプロトコルの構成により前記セル再選択ルールを取得することを含む。
【００１３】
本発明の実施例において、前記端末が前記セル再選択ルール及び隣接セルのサポートするネットワーク機能に基づいてターゲットセルを選択することは、
前記端末が第１セルにおいて隣接セル測定を実行することと、
ターゲットネットワーク機能をサポートする第２セルが検出され、且つ前記第２セルの信号品質が第１閾値より高いと、前記第２セルが前記ターゲットセルであると決定することとを含み、
前記第２セルは、前記第１セルに対して同周波数隣接セルである。
【００１４】
本発明の実施例において、前記方法は、
前記端末が、隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定することを更に含む。
【００１５】
本発明の実施例において、前記方法は、
前記端末が、前記第１セルによりブロードキャストされたシステムメッセージを取得し、前記第１セルによりブロードキャストされたシステムメッセージに基づいて、前記第２セルが前記ターゲットネットワーク機能をサポートしているかどうかを決定することを更に含む。
【００１６】
本発明の実施例において、前記端末が前記セル再選択ルール及び隣接セルのサポートするネットワーク機能に基づいてターゲットセルを選択することは、
前記端末が第１セルにおいて隣接セル測定を実行することと、
周波数優先度の高い第３セルの信号品質が第１閾値より高いことが検出された場合、前記第３セルが前記ターゲットセルであると決定することとを含み、
前記第３セルは、前記第１セルに対して異周波数隣接セルである。
【００１７】
本発明の実施例において、前記方法は、
前記端末が、前記第１セルによりブロードキャストされたシステムメッセージを取得し、前記第１セルによりブロードキャストされたシステムメッセージに基づいて、前記第１セルが前記ターゲットネットワーク機能をサポートしないセルであると決定することを更に含む。
【００１８】
本発明の実施例において、前記ターゲットネットワーク機能は、
５Ｇ指示情報の機能、基地局に接続されるコアネットワークのタイプ情報の機能のうちの少なくとも１つを含む。
【００１９】
本発明の実施例において、前記端末がセル再選択ルールを取得することは、
前記端末がシステムメッセージ、ローカルに予め記憶された情報、無線リソース制御（ＲＲＣ：Ｒａｄｉｏ  Ｒｅｓｏｕｒｃｅ  Ｃｏｎｔｒｏｌ）シグナリング、又は非アクセス層（ＮＡＳ：Ｎｏｎ−Ａｃｃｅｓｓ  Ｓｔｒａｔｕｍ）シグナリングにより、前記セル再選択ルールを取得することを含む。
【００２０】
本発明の実施例において、前記セル再選択ルールは、複数の再選択サブルールを含み、各再選択サブルールは、１つの優先度に対応し、
前記端末は、優先度の降順に応じて、前記ターゲットセルの選択のための前記再選択サブルールを選択する。
【００２１】
本発明の実施例において、前記複数の再選択サブルールは、第１再選択サブルールと、第２再選択サブルールとを含み、前記第１再選択サブルールが、ネットワーク機能に基づく再選択サブルールであり、前記第２再選択サブルールが、周波数優先度に基づく再選択サブルールである場合、前記端末が前記セル再選択ルール及び隣接セルのサポートするネットワーク機能に基づいてターゲットセルを選択することは、
前記端末が、ターゲットネットワーク機能をサポートしない第１セルにおいて隣接セル測定を実行することと、
ターゲットネットワーク機能をサポートする第２セルが検出され、且つ前記第２セルの信号品質が第１閾値より高いと、前記第２セルが前記ターゲットセルであると決定することとを含み、
前記第２セルは、前記第１セルに対して同周波数隣接セル又は異周波数隣接セルである。
【００２２】
本発明の実施例において、前記方法は、
前記端末が、隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定することを更に含む。
【００２３】
本発明の実施例において、前記方法は、
前記端末が、第１セルによりブロードキャストされたシステムメッセージを取得し、前記第１セルによりブロードキャストされたシステムメッセージに基づいて、前記第２セルが前記ターゲットネットワーク機能をサポートしているかどうかを決定することを更に含む。
【００２４】
本発明の実施例において、前記複数の再選択サブルールは、第１再選択サブルールと、第２再選択サブルールとを含み、前記第１再選択サブルールが、周波数優先度に基づく再選択サブルールであり、前記第２再選択サブルールが、ネットワーク機能に基づく再選択サブルールである場合、前記端末が前記セル再選択ルール及び隣接セルのサポートするネットワーク機能に基づいてターゲットセルを選択することは、
前記端末が第１セルにおいて隣接セル測定を実行することと、
周波数優先度の高い第３セルの信号品質が第１閾値より高いことが検出された場合、前記第３セルが前記ターゲットセルであると決定することとを含み、
前記第３セルは、前記第１セルに対して異周波数隣接セルである。
【００２５】
本発明の実施例において、前記ターゲットネットワーク機能は、
５Ｇ指示情報の機能、基地局に接続されるコアネットワークのタイプ情報の機能のうちの少なくとも１つを含む。
【００２６】
本発明の実施例が提供するセル再選択装置は、
セル再選択ルールを取得するように構成される第１取得ユニットと、
前記セル再選択ルール及び隣接セルのサポートするネットワーク機能に基づいてターゲットセルを選択するように構成される選択ユニットと、
前記ターゲットセルに基づいてセル再選択プロセスを実行するように構成される実行ユニットと、を備える。
【００２７】
本発明の実施例において、前記第１取得ユニットは、プロトコルの構成により前記セル再選択ルールを取得するように構成される。
【００２８】
本発明の実施例において、前記装置は、
第１セルにおいて隣接セル測定を実行するように構成される測定ユニットと、
ターゲットネットワーク機能をサポートする第２セルが検出され、且つ前記第２セルの信号品質が第１閾値より高いと、前記第２セルが前記ターゲットセルであると決定するように構成される前記選択ユニットとを更に備え、前記第２セルは、前記第１セルに対して同周波数隣接セルである。
【００２９】
本発明の実施例において、前記装置は、
隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定するように構成される第２取得ユニットを更に備える。
【００３０】
本発明の実施例において、前記装置は、
前記第１セルによりブロードキャストされたシステムメッセージを取得し、前記第１セルによりブロードキャストされたシステムメッセージに基づいて、前記第２セルが前記ターゲットネットワーク機能をサポートしているかどうかを決定するように構成される第３取得ユニットを更に備える。
【００３１】
本発明の実施例において、前記装置は、
第１セルにおいて隣接セル測定を実行するように構成される測定ユニットと、
周波数優先度の高い第３セルの信号品質が第１閾値より高いことが検出された場合、前記第３セルが前記ターゲットセルであると決定するように構成される前記選択ユニットとを更に備え、
前記第３セルは、前記第１セルに対して異周波数隣接セルである。
【００３２】
本発明の実施例において、前記装置は、
前記第１セルによりブロードキャストされたシステムメッセージを取得し、前記第１セルによりブロードキャストされたシステムメッセージに基づいて、前記第１セルが前記ターゲットネットワーク機能をサポートしないセルであると決定するように構成される第４取得ユニットを更に備える。
【００３３】
本発明の実施例において、前記ターゲットネットワーク機能は、
５Ｇ指示情報の機能、基地局に接続されるコアネットワークのタイプ情報の機能のうちの少なくとも１つを含む。
【００３４】
本発明の実施例において、システムメッセージ、ローカルに予め記憶された情報、ＲＲＣシグナリング、又はＮＡＳシグナリングにより、前記セル再選択ルールを取得するように構成される。
【００３５】
本発明の実施例において、前記セル再選択ルールは、複数の再選択サブルールを含み、各再選択サブルールは、１つの優先度に対応し、
前記選択ユニットは、優先度の降順に応じて、前記ターゲットセルの選択のための前記再選択サブルールを選択する。
【００３６】
本発明の実施例において、前記複数の再選択サブルールは、第１再選択サブルールと、第２再選択サブルールとを含み、前記第１再選択サブルールが、ネットワーク機能に基づく再選択サブルールであり、前記第２再選択サブルールが、周波数優先度に基づく再選択サブルールである場合、前記端末は、
ターゲットネットワーク機能をサポートしない第１セルにおいて隣接セル測定を実行するように構成される測定ユニットと、
ターゲットネットワーク機能をサポートする第２セルが検出され、且つ前記第２セルの信号品質が第１閾値より高いと、前記第２セルが前記ターゲットセルであると決定するように構成される前記選択ユニットとを備え、前記第２セルは、前記第１セルに対して同周波数隣接セル又は異周波数隣接セルである。
【００３７】
本発明の実施例において、前記装置は、
隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定するように構成される第２取得ユニットを更に備える。
【００３８】
本発明の実施例において、前記装置は、
第１セルによりブロードキャストされたシステムメッセージを取得し、前記第１セルによりブロードキャストされたシステムメッセージに基づいて、前記第２セルが前記ターゲットネットワーク機能をサポートしているかどうかを決定するように構成される第３取得ユニットを更に備える。
【００３９】
本発明の実施例において、前記複数の再選択サブルールは、第１再選択サブルールと、第２再選択サブルールとを含み、前記第１再選択サブルールが、周波数優先度に基づく再選択サブルールであり、前記第２再選択サブルールが、ネットワーク機能に基づく再選択サブルールである場合、前記装置は、
第１セルにおいて隣接セル測定を実行するように構成される測定ユニットと、
周波数優先度の高い第３セルの信号品質が第１閾値より高いことが検出された場合、前記第３セルが前記ターゲットセルであると決定するように構成される前記選択ユニットとを備え、前記第３セルは、前記第１セルに対して異周波数隣接セルである。
【００４０】
本発明の実施例において、前記ターゲットネットワーク機能は、
５Ｇ指示情報の機能、基地局に接続されるコアネットワークのタイプ情報の機能のうちの少なくとも１つを含む。
【００４１】
本発明の実施例が提供するコンピュータ記憶媒体には、コンピュータによる実行可能な命令が記憶されており、該コンピュータによる実行可能な命令がプロセッサにより実行される時、上記セル再選択方法を実現させる。
【発明の効果】
【００４２】
本発明の実施例の技術的解決策において、端末は、セル再選択ルールを取得し、前記端末は、前記セル再選択ルール及び隣接セルのサポートするネットワーク機能に基づいてターゲットセルを選択し、前記ターゲットセルに基づいてセル再選択プロセスを実行する。本発明の実施例の技術的解決策によれば、端末は、システムメッセージによりブロードキャストされたセル再選択ルール又はプロトコルにより規定されたセル再選択ルール及びネットワーク機能に基づいて、ターゲットセルを選択することで再選択を行う。従って、端末がネットワーク側による制御に基づいてセル再選択を適応的に行うことを実現させ、通信事業者の事業上の需要を満たす。
【図面の簡単な説明】
【００４３】
本明細書で記載の図面は、本発明の一層の理解のために提供されるものであり、本明細書に導入されてその一部となる。本発明の概略的な実施例及びその説明は、本発明の解説のために用いるものであるが、本発明を不当に限定するものではない。
【図１】本発明の実施例によるセル再選択方法を示す例示的なフローチャートである。
【図２】本発明の実施例によるセル再選択装置の構成を示す例示的な構造図である。
【図３】本発明の実施例によるコンピュータ装置の構成を示す例示的な構造図である。
【発明を実施するための形態】
【００４４】
本発明の実施例の特徴及び要旨をより詳しく理解するために、以下、図面を参照しながら、本発明の実施例の実現を詳細に説明する。添付した図面は、説明のためのものに過ぎず、本発明の実施例を限定するものではない。
【００４５】
本発明の実施例の技術的解決策は、主に５Ｇ移動通信システムに適用される。勿論、本発明の実施例の技術的解決策は、５Ｇ移動通信システムに限定されず、他のタイプの移動通信システムに適用可能である。以下、５Ｇ移動通信システムにおける主な適用シナリオを説明する。
【００４６】
１）ｅＭＢＢシナリオ：ｅＭＢＢは、マルチメディアコンテンツ、サービス及びデータの取得を目標とし、そのトラフィック需要は急速に成長している。ｅＭＢＢが室内、都市、農村などの様々なシナリオに配置されることができるため、その実務能力及び需要の差別も大きい。従って、具体的な配置シナリオに合わせて実務を分析しなければならない。
【００４７】
２）ＵＲＬＬＣシナリオ：ＵＲＬＬＣの典型的な適用は、工業自動化、電力自動化、遠隔医療操作、交通安全性の保障等を含む。
【００４８】
３）ｍＭＴＣシナリオ：ＵＲＬＬＣの典型的な特徴は、接続密度が高く、データ量が小さく、サービスが遅延による影響を受けず、モジュールのコストが低く、耐用年数が長い等である。
【００４９】
図１は、本発明の実施例によるセル再選択方法を示すフローチャートである。図１に示すように、前記セル再選択方法は、下記ステップを含む。
【００５０】
ステップ１０１：端末がセル再選択ルールを取得する。
【００５１】
本発明の実施例において、前記端末は、携帯電話、タブレット、ノートパソコン、デスクトップコンピュータなどのような、ネットワークと通信可能な任意の装置であってもよい。
【００５２】
本発明の実施例において、端末は、下記方式でセル再選択ルールを取得することができる。
【００５３】
方式１：前記端末は、プロトコルの構成により、前記セル再選択ルールを取得する。
【００５４】
方式２：前記端末は、システムメッセージ、ローカルに予め記憶された情報、ＲＲＣシグナリング、又はＮＡＳシグナリングにより、前記セル再選択ルールを取得する。
【００５５】
ステップ１０２：前記端末が前記セル再選択ルール及び隣接セルのサポートするネットワーク機能に基づいてターゲットセルを選択し、前記ターゲットセルに基づいてセル再選択プロセスを実行する。
【００５６】
本発明の実施例において、前記端末が前記セル再選択ルール及び隣接セルのサポートするネットワーク機能に基づいてターゲットセルを選択することは、具体的には、下記方式で実現することができる。
【００５７】
方式１：
１）前記端末が、前記第１セルによりブロードキャストされたシステムメッセージを取得し、前記第１セルによりブロードキャストされたシステムメッセージに基づいて、前記第１セルがターゲットネットワーク機能をサポートしないセルであると決定する。
【００５８】
例えば、ＵＥが現在のセルにキャンプオンし、セルによりブロードキャストされたシステムメッセージを取得し、前記システムメッセージに基づいて、現在のセルのタイプを決定することができる。例えば、現在のセルが普通のＬＴＥセルであり、つまり５Ｇ指示セル（即ちシステムメッセージに５Ｇ指示情報が含まれないセル）ではなく、ｅＬＴＥセルではないと決定することができる。
【００５９】
２）前記端末が第１セルにおいて隣接セル測定を実行する。
【００６０】
３．１）ターゲットネットワーク機能をサポートする第２セルが検出され、且つ前記第２セルの信号品質が第１閾値より高いと、前記第２セルが前記ターゲットセルであると決定する。前記第２セルは、前記第１セルに対して同周波数隣接セルである。
【００６１】
一実施形態において、前記端末が、隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定する。
【００６２】
別の実施形態において、前記端末が、前記第１セルによりブロードキャストされたシステムメッセージを取得し、前記第１セルによりブロードキャストされたシステムメッセージに基づいて、前記第２セルが前記ターゲットネットワーク機能をサポートしているかどうかを決定する。
【００６３】
本発明の実施例において、前記ターゲットネットワーク機能は、
５Ｇ指示情報の機能、基地局に接続されるコアネットワークのタイプ情報の機能のうちの少なくとも１つを含む。
【００６４】
ここで、５Ｇ指示セルは、５Ｇ指示情報の機能を持つ。つまり、該セルのシステムメッセージには５Ｇ指示情報が含まれる。ｅＬＴＥセルは、基地局に接続されるコアネットワークのタイプ情報の機能を持つ。つまり、該セルのシステムメッセージには、基地局に接続されるコアネットワークのタイプ情報（例えばＥＰＣ、５Ｇ  ＣＮ、ＥＰＣ及び５Ｇ  ＣＮ）が含まれる。
【００６５】
３．２）周波数優先度の高い第３セルの信号品質が第１閾値より高いことが検出された場合、前記第３セルが前記ターゲットセルであると決定する。前記第３セルは、前記第１セルに対して異周波数隣接セルである。
【００６６】
上記技術的解決策における各閾値を、セルによりブロードキャストされたシステムメッセージから取得することができることは理解されるべきである。
【００６７】
方式２：
１）前記セル再選択ルールは、複数の再選択サブルールを含み、各再選択サブルールは、１つの優先度に対応し、前記端末は、優先度の降順に応じて、前記ターゲットセルの選択のための前記再選択サブルールを選択する。
【００６８】
例えば、周波数優先度ルールは、第１レベルの優先度であり、ネットワーク機能ルールは第２レベルの優先度である。又は、周波数優先度ルールは、第２レベルの優先度であり、ネットワーク機能ルールは、第１レベルの優先度である。
【００６９】
２．１）前記複数の再選択サブルールは、第１再選択サブルールと、第２再選択サブルールとを含み、前記第１再選択サブルールが、ネットワーク機能に基づく再選択サブルールであり、前記第２再選択サブルールが、周波数優先度に基づく再選択サブルールである。第１レベルの優先度の前記再選択サブルールがネットワーク機能に基づく再選択サブルールである場合、
前記端末が、ターゲットネットワーク機能をサポートしない第１セルにおいて隣接セル測定を行い、
ターゲットネットワーク機能をサポートする第２セルが検出され、且つ前記第２セルの信号品質が第１閾値より高いと、前記第２セルが前記ターゲットセルであると決定し、
前記第２セルは、前記第１セルに対して同周波数隣接セル又は異周波数隣接セルである。
【００７０】
一実施形態において、前記端末が、隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定する。
【００７１】
別の実施形態において、前記端末が、第１セルによりブロードキャストされたシステムメッセージを取得し、前記第１セルによりブロードキャストされたシステムメッセージに基づいて、前記第２セルが前記ターゲットネットワーク機能をサポートしているかどうかを決定する。
【００７２】
本発明の実施例において、前記ターゲットネットワーク機能は、
５Ｇ指示情報の機能、基地局に接続されるコアネットワークのタイプ情報の機能のうちの少なくとも１つを含む。
【００７３】
ここで、５Ｇ指示セルは、５Ｇ指示情報の機能を持つ。つまり、該セルのシステムメッセージには５Ｇ指示情報が含まれる。ｅＬＴＥセルは、基地局に接続されるコアネットワークのタイプ情報の機能を持つ。つまり、該セルのシステムメッセージには、基地局に接続されるコアネットワークのタイプ情報（例えばＥＰＣ、５Ｇ  ＣＮ、ＥＰＣ及び５Ｇ  ＣＮ）が含まれる。
【００７４】
２．２）前記複数の再選択サブルールは、第１再選択サブルールと、第２再選択サブルールとを含み、前記第１再選択サブルールが、周波数優先度に基づく再選択サブルールであり、前記第２再選択サブルールが、ネットワーク機能に基づく再選択サブルールである。第１レベルの優先度の前記再選択サブルールが周波数優先度に基づく再選択サブルールである場合、
前記端末が第１セルにおいて隣接セル測定を行い、
周波数優先度の高い第３セルの信号品質が第１閾値より高いことが検出された場合、前記第３セルが前記ターゲットセルであると決定し、
前記第３セルは、前記第１セルに対して異周波数隣接セルである。
【００７５】
図２は、本発明の実施例によるセル再選択装置の構成を示す例示的な構造図である。図２に示すように、前記セル再選択装置は、
セル再選択ルールを取得するように構成される第１取得ユニット２０１と、
前記セル再選択ルール及び隣接セルのサポートするネットワーク機能に基づいてターゲットセルを選択するように構成される選択ユニット２０２と、
前記ターゲットセルに基づいてセル再選択プロセスを実行するように構成される実行ユニット２０３と、を備える。
【００７６】
一実施形態において、前記第１取得ユニット２０１は、プロトコルの構成により前記セル再選択ルールを取得するように構成される。
【００７７】
一実施形態において、前記装置は、
第１セルにおいて隣接セル測定を実行するように構成される測定ユニット２０４と、
ターゲットネットワーク機能をサポートする第２セルが検出され、且つ前記第２セルの信号品質が第１閾値より高いと、前記第２セルが前記ターゲットセルであると決定するように構成される前記選択ユニット２０２とを更に備え、前記第２セルは、前記第１セルに対して同周波数隣接セルである。
【００７８】
一実施形態において、前記装置は、
隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定するように構成される第２取得ユニット２０５を更に備える。
【００７９】
一実施形態において、前記装置は、
前記第１セルによりブロードキャストされたシステムメッセージを取得し、前記第１セルによりブロードキャストされたシステムメッセージに基づいて、前記第２セルが前記ターゲットネットワーク機能をサポートしているかどうかを決定するように構成される第３取得ユニット２０６を更に備える。
【００８０】
一実施形態において、前記装置は、
第１セルにおいて隣接セル測定を実行するように構成される測定ユニット２０４と、
周波数優先度の高い第３セルの信号品質が第１閾値より高いことが検出された場合、前記第３セルが前記ターゲットセルであると決定するように構成される前記選択ユニット２０２とを更に備え、
前記第３セルは、前記第１セルに対して異周波数隣接セルである。
【００８１】
一実施形態において、前記装置は、
前記第１セルによりブロードキャストされたシステムメッセージを取得し、前記第１セルによりブロードキャストされたシステムメッセージに基づいて、前記第１セルが前記ターゲットネットワーク機能をサポートしないセルであると決定するように構成される第４取得ユニット２０７を更に備える。
【００８２】
一実施形態において、前記ターゲットネットワーク機能は、
５Ｇ指示情報の機能、基地局に接続されるコアネットワークのタイプ情報の機能のうちの少なくとも１つを含む。
【００８３】
一実施形態において、前記第１取得ユニット２０１は、システムメッセージ、ローカルに予め記憶された情報、ＲＲＣシグナリング、又はＮＡＳシグナリングにより、前記セル再選択ルールを取得するように構成される。
【００８４】
一実施形態において、前記セル再選択ルールは、複数の再選択サブルールを含み、各再選択サブルールは、１つの優先度に対応し、
前記選択ユニット２０２は、優先度の降順に応じて、前記ターゲットセルの選択のための前記再選択サブルールを選択する。
【００８５】
一実施形態において、前記複数の再選択サブルールは、第１再選択サブルールと、第２再選択サブルールとを含み、前記第１再選択サブルールが、ネットワーク機能に基づく再選択サブルールであり、前記第２再選択サブルールが、周波数優先度に基づく再選択サブルールである場合、前記端末は、
ターゲットネットワーク機能をサポートしない第１セルにおいて隣接セル測定を実行するように構成される測定ユニット２０４と、
ターゲットネットワーク機能をサポートする第２セルが検出され、且つ前記第２セルの信号品質が第１閾値より高いと、前記第２セルが前記ターゲットセルであると決定するように構成される前記選択ユニット２０２とを備え、前記第２セルは、前記第１セルに対して同周波数隣接セル又は異周波数隣接セルである。
【００８６】
一実施形態において、前記装置は、
隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定するように構成される第２取得ユニット２０５を更に備える。
【００８７】
一実施形態において、前記装置は、
第１セルによりブロードキャストされたシステムメッセージを取得し、前記第１セルによりブロードキャストされたシステムメッセージに基づいて、前記第２セルが前記ターゲットネットワーク機能をサポートしているかどうかを決定するように構成される第３取得ユニット２０６を更に備える。
【００８８】
一実施形態において、前記複数の再選択サブルールは、第１再選択サブルールと、第２再選択サブルールとを含み、前記第１再選択サブルールが、周波数優先度に基づく再選択サブルールであり、前記第２再選択サブルールが、ネットワーク機能に基づく再選択サブルールである場合、前記装置は、
第１セルにおいて隣接セル測定を実行するように構成される測定ユニット２０４と、
周波数優先度の高い第３セルの信号品質が第１閾値より高いことが検出された場合、前記第３セルが前記ターゲットセルであると決定するように構成される前記選択ユニット２０２とを備え、前記第３セルは、前記第１セルに対して異周波数隣接セルである。
【００８９】
一実施形態において、前記ターゲットネットワーク機能は、
５Ｇ指示情報の機能、基地局に接続されるコアネットワークのタイプ情報の機能のうちの少なくとも１つを含む。
【００９０】
上述したセル再選択方法に関連する説明を参照しながら図２に示したセル再選択装置における各ユニットの機能を理解できることが当業者であれば理解すべきである。図２に示したセル再選択装置における各ユニットの機能をプロセッサで実行されるプログラムにより実現させることができるし、具体的な論理回路を実現させることもできる。
【００９１】
本発明の実施例の上記セル再選択装置は、ソフトウェア機能ユニットの形で実現され、かつ独立した製品として販売または使用されるとき、コンピュータにより読み取り可能な記憶媒体内に記憶されてもよい。このような理解のもと、本発明の技術的解決策は、本質的に、又は、従来技術に対して貢献をもたらした部分又は該技術的解決策の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ  Ｍｅｍｏｒｙ）、ディスク、又は光ディスクなど、プログラムコードを記憶可能な各種の媒体を含む。従って、本発明の実施例は、任意の特定のハードウェアとソフトウェアの組み合わせにも限定されない。
【００９２】
なお、本発明の実施例は、コンピュータによる実行可能な命令が記憶されているコンピュータ記憶媒体を更に提供し、該コンピュータによる実行可能な命令がプロセッサにより実行される時、本発明の実施例の上記セル再選択方法を実現させる。
【００９３】
図３は、本発明の実施例によるコンピュータ装置の構成を示す例示的な構造図である。該コンピュータ装置は任意のタイプの端末であってもよい。図３に示すように、コンピュータ装置１００は、１つ又は複数の（図面には１つのみが示される）プロセッサ１００２（プロセッサ１００２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これらに限定されない）、データを記憶するためのメモリ１００４、及び通信のための伝送装置１００６を備えてもよい。図３に示した構成は模式的なものに過ぎず、上記電子装置の構成を限定するものではないことは、当業者であれば、理解すべきである。例えば、コンピュータ装置１００は、図３に示したものより多くのユニット又は少ないユニットを備えてもよいし、図３に示したものと異なる構成を備えてもよい。
【００９４】
メモリ１００４は、本発明の実施例における方法に対応するプログラム命令／モジュールのようなアプリケーションのソフトウェアプログラム及びモジュールを記憶するためのものである。プロセッサ１００２は、メモリ１００４に記憶されているソフトウェアプログラム及びモジュールを実行することで、様々な機能の適用及びデータ処理を実行し、つまり上記方法を実現させる。メモリ１００４は、高速ランダムメモリを含んでもよいし、１つ又は複数の磁気記憶装置、フラッシュメモリ、その他の不揮発性固体記憶装置のような不揮発性メモリを含んでもよい。幾つかの実例において、メモリ１００４は、プロセッサ１００２に対して遠隔に設けられるメモリを更に含んでもよい。これらのリモートメモリは、ネットワークを介してコンピュータ装置１００に接続される。上記ネットワークの実例は、インターネット、イントラネット、ローカルエリアネットワーク、移動体通信ネットワーク及びこれらの組み合わせを含むが、これらに限定されない。
【００９５】
伝送装置１００６は、ネットワークを介してデータを送受信するように構成される。上記ネットワークの具体的な実例は、コンピュータ装置１００の通信業者により提供される無線ネットワークを含んでもよい。一実例において、伝送装置１００６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置１００６は、無線方式でインターネットと通信するための無線周波数（ＲＦ：Ｒａｄｉｏ  Ｆｒｅｑｕｅｎｃｙ）モジュールであってもよい。
【００９６】
本発明の実施例に記載の技術的解決策は、矛盾しない限り、任意に組み合わせすることができる。
【００９７】
本発明で提供する幾つかの実施例で開示した方法及びインテリジェント装置は、他の方式によって実現できることを理解すべきである。以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【００９８】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【００９９】
また、本発明の各実施例における各機能ユニットは一つの第２処理ユニットに集積されてもよいし、各ユニットが物理的に別個のものとして存在してもよいし、２つ以上のユニットが一つのユニットに集積されてもよい。上記集積したユニット、ハードウェアの形で実現してもよいし、ハードウェアとソフトウェアユニットの組み合わせという形で実現してもよい。
【０１００】
以上は本発明の具体的な実施形態に過ぎず、本発明の保護の範囲はそれらに制限されるものではなく、当業者が本発明に開示された技術範囲内で容易に想到しうる変更や置換はいずれも本発明の保護範囲内に含まれるべきである。
【図１】
2021516880.tif 000003
【図２】
2021516880.tif 000004
【図３】
2021516880.tif 000005
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
セル再選択方法であって、
端末がセル再選択ルールを取得することと、
前記端末が前記セル再選択ルール及び隣接セルのサポートするネットワーク機能に基づいてターゲットセルを選択し、前記ターゲットセルに基づいてセル再選択プロセスを実行することとを含む、前記セル再選択方法。
【請求項２】
前記端末がセル再選択ルールを取得することは、
前記端末がプロトコルの構成により前記セル再選択ルールを取得することを含むことを特徴とする
請求項１に記載の方法。
【請求項３】
前記端末が前記セル再選択ルール及び隣接セルのサポートするネットワーク機能に基づいてターゲットセルを選択することは、
前記端末が第１セルにおいて隣接セル測定を実行することと、
ターゲットネットワーク機能をサポートする第２セルが検出され、且つ前記第２セルの信号品質が第１閾値より高いと、前記第２セルが前記ターゲットセルであると決定することとを含み、
前記第２セルは、前記第１セルに対して同周波数隣接セルであることを特徴とする
請求項２に記載の方法。
【請求項４】
前記方法は、
前記端末が、隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定することを更に含み、
または、前記方法は、
前記端末が、前記第１セルによりブロードキャストされたシステムメッセージを取得し、前記第１セルによりブロードキャストされたシステムメッセージに基づいて、前記第２セルが前記ターゲットネットワーク機能をサポートしているかどうかを決定することを更に含むことを特徴とする
請求項３に記載の方法。
【請求項５】
前記端末が前記セル再選択ルール及び隣接セルのサポートするネットワーク機能に基づいてターゲットセルを選択することは、
前記端末が第１セルにおいて隣接セル測定を実行することと、
周波数優先度の高い第３セルの信号品質が第１閾値より高いことが検出された場合、前記第３セルが前記ターゲットセルであると決定することとを含み、
前記第３セルは、前記第１セルに対して異周波数隣接セルであることを特徴とする
請求項２に記載の方法。
【請求項６】
前記方法は、
前記端末が、前記第１セルによりブロードキャストされたシステムメッセージを取得し、前記第１セルによりブロードキャストされたシステムメッセージに基づいて、前記第１セルが前記ターゲットネットワーク機能をサポートしないセルであると決定することを更に含むことを特徴とする
請求項３ないし５のいずれか一項に記載の方法。
【請求項７】
前記ターゲットネットワーク機能は、
５Ｇ指示情報の機能、基地局に接続されるコアネットワークのタイプ情報の機能のうちの少なくとも１つを含むことを特徴とする
請求項３ないし６のいずれか一項に記載の方法。
【請求項８】
前記端末がセル再選択ルールを取得することは、
前記端末がシステムメッセージ、又はローカルに予め記憶された情報、又は無線リソース制御（ＲＲＣ）シグナリング、又は非アクセス層（ＮＡＳ）シグナリングにより、前記セル再選択ルールを取得することを含むことを特徴とする
請求項１に記載の方法。
【請求項９】
前記セル再選択ルールは、複数の再選択サブルールを含み、各再選択サブルールは、１つの優先度に対応し、
前記端末は、優先度の降順に応じて、前記ターゲットセルの選択のための前記再選択サブルールを選択することを特徴とする
請求項８に記載の方法。
【請求項１０】
前記複数の再選択サブルールは、第１再選択サブルールと、第２再選択サブルールとを含み、前記第１再選択サブルールが、ネットワーク機能に基づく再選択サブルールであり、前記第２再選択サブルールが、周波数優先度に基づく再選択サブルールである場合、前記端末が前記セル再選択ルール及び隣接セルのサポートするネットワーク機能に基づいてターゲットセルを選択することは、
前記端末が、ターゲットネットワーク機能をサポートしない第１セルにおいて隣接セル測定を実行することと、
ターゲットネットワーク機能をサポートする第２セルが検出され、且つ前記第２セルの信号品質が第１閾値より高いと、前記第２セルが前記ターゲットセルであると決定することとを含み、
前記第２セルは、前記第１セルに対して同周波数隣接セル又は異周波数隣接セルであることを特徴とする
請求項９に記載の方法。
【請求項１１】
前記方法は、
前記端末が、隣接セルによりブロードキャストされたシステムメッセージを取得し、前記隣接セルによりブロードキャストされたシステムメッセージに基づいて、前記第２セルが前記ターゲットネットワーク機能をサポートしているかどうかを決定することを更に含むことを特徴とする
請求項１０に記載の方法。
【請求項１２】
前記方法は、
前記端末が、第１セルによりブロードキャストされたシステムメッセージを取得し、前記第１セルによりブロードキャストされたシステムメッセージに基づいて、前記第２セルが前記ターゲットネットワーク機能をサポートしているかどうかを決定することを更に含むことを特徴とする
請求項１０に記載の方法。
【請求項１３】
前記複数の再選択サブルールは、第１再選択サブルールと、第２再選択サブルールとを含み、前記第１再選択サブルールが、周波数優先度に基づく再選択サブルールであり、前記第２再選択サブルールが、ネットワーク機能に基づく再選択サブルールである場合、前記端末が前記セル再選択ルール及び隣接セルのサポートするネットワーク機能に基づいてターゲットセルを選択することは、
前記端末が第１セルにおいて隣接セル測定を実行することと、
周波数優先度の高い第３セルの信号品質が第１閾値より高いことが検出された場合、前記第３セルが前記ターゲットセルであると決定することとを含み、
前記第３セルは、前記第１セルに対して異周波数隣接セルであることを特徴とする
請求項９に記載の方法。
【請求項１４】
前記ターゲットネットワーク機能は、
５Ｇ指示情報の機能、基地局に接続されるコアネットワークのタイプ情報の機能のうちの少なくとも１つを含むことを特徴とする
請求項９ないし１３のいずれか一項に記載の方法。
【請求項１５】
プロセッサ、
プロセッサによって実行可能な命令を記憶するように構成されるメモリ、および
プロセッサの制御下でデータを送受信するように構成される送信機器を備え、
前記プロセッサは、請求項１ないし１４のいずれか一項に記載の方法を実施するように構成される、前記装置。
【国際調査報告】
2021516880.tif 000006
2021516880.tif 000007
2021516880.tif 000008
2021516880.tif 000009
2021516880.tif 000010
2021516880.tif 000011